(57)【要約】【課題】  従来のフィルム式カメラをデジタルカメラのように使用するためのフィルム式カメラ用デジタルユニットを提供することを課題とする。【解決手段】  フィルム式カメラ用デジタルユニット１は、既存のフィルム式カメラ２のフィルム装填スペース３に着脱可能に装着されるケース４に、フィルム式カメラ２のレンズ５を介した撮影画像を検知する画像センサ８と、画像センサ８で検知された撮影画像をデジタルデータで記録する撮像記録手段と、撮像記録手段により記録された撮影画像デジタルデータを外部のフォトプリンタやパーソナルコンピュータに出力する記録データ出力手段とを設けたものである。【選択図】        図１
2005159571.tif 000002
【特許請求の範囲】
【請求項１】
既存のフィルム式カメラのフィルム装填用スペースに着脱可能に装着されるケースに、当該フィルム式カメラのレンズを介した撮影画像を検知する画像センサと、前記画像センサで検知された撮影画像をデジタルデータで記録する撮像記録手段と、前記撮像記録手段により記録された撮影画像デジタルデータを外部の写真プリント手段や写真表示手段に出力する記録データ出力手段とを設けたことを特徴とするフィルム式カメラ用デジタルユニット。
【請求項２】
撮影済み回数と撮影可能回数とを表示する表示手段を設けたことを特徴とする請求項１に記載のフィルム式カメラ用デジタルユニット。
【発明の詳細な説明】
【技術分野】
【０００１】
本発明は、従来のフィルム式カメラに装填することにより、このカメラをデジタルカメラとして使用するためのフィルム式カメラ用デジタルユニットに関する。
【背景技術】
【０００２】
従来のフィルム式カメラは、撮影済みフィルムの画像を印画紙に焼き付けることによって写真にする（例えば特許文献１参照）ものであり、撮影した画像を写真にするためには専門店に撮影済みフィルムを持参し、現像と焼付を依頼しなけなければならない。
また、従来のカメラには、プロやマニアが好んで使用する機械式高級カメラがあるが、これらの機械式高級カメラはデジタルカメラと異なり撮影したフィルムの画像を例えばフォトプリンタやパーソナルコンピュータに伝送して写真にすることはできない。しかしながら、これらの機械式高級カメラを使用している人は機械式高級カメラに愛着と誇りを持っているため、手放したくないという気持ちを持つ人が多い。
【特許文献１】特開平８−０４３９２２号公報
【発明の開示】
【発明が解決しようとする課題】
【０００３】
そこで本発明では、従来のフィルム式カメラをデジタルカメラのように使用するためのフィルム式カメラ用デジタルユニットを提供することを、解決すべき課題とするものである。
【課題を解決するための手段】
【０００４】
上記課題は、特許請求の範囲の欄に記載したフィルム式カメラ用デジタルユニットにより解決することができる。
請求項１に記載のフィルム式カメラ用デジタルユニットは、フィルム式カメラのフィルム装填スペースに着脱可能に装着されるケースに、フィルム式カメラのレンズを介した撮影画像を検知する画像センサと、画像センサで検知された撮影画像をデジタルデータで記録する撮像記録手段と、撮像記録手段により記録された撮影画像デジタルデータを外部のフォトプリンタやパーソナルコンピュータに出力する記録データ出力手段とを設けたものであるため、フィルム式カメラのフィルム装填スペースにフィルム式カメラ用デジタルユニットを装着すれば、従来のフィルム式カメラをデジタルカメラのように使用することができる。
【０００５】
請求項２に記載のフィルム式カメラ用デジタルユニットによれば、撮影者は、撮影済み回数と撮影可能回数とをリアルタイムで認識することができる。
【発明の効果】
【０００６】
本発明によれば、従来のフィルム式カメラをデジタルカメラのように使用することができる。
【実施例】
【０００７】
次に、本発明の実施の形態について説明する。
図１は、既存のフィルム式カメラをデジタルカメラのように使用するためのフィルム式カメラ用デジタルユニット１の外観的な構成と形状とを示した斜視図である。
図１に示すように、フィルム式カメラ用デジタルユニット１は、既存のフィルム式カメラ２のフィルム装填スペース３に、着脱可能に装着できるようにケース４が形成されている。ケース４は、一般的なフィルムの収納管と同様の円筒の外形形状を有する円筒形ケース部４ａと、円筒形ケース部４ａから恰もフィルムを、ある長さに引き出したような形状を有する平板形ケース部４ｂとで構成されている。
【０００８】
上記円筒形ケース部４ａの内部には、後述する電子回路や電源回路が収納されており、円筒形ケース部４ａの外周部には、撮影済み回数と撮影可能回数とを表示する表示部６や、電源スイッチなど、複数の操作スイッチが取り付けられている操作スイッチ部７が配設されている。
また、平板形ケース４ｂには、既存のフィルム式カメラ２のレンズ５を介した撮影画像を検知する画像センサ８が取り付けられており、この画像センサ８は、例えばＣＣＤ画素やＣＭＯＳ画素で構成されている。
【０００９】
尚、平板形ケース４ｂの画像センサ８が取り付けられている面と反対側の面（図面上、手前側）に、メモリーカード９が差し込まれるメモリーカードスロット１０が設けられている。このメモリーカード９は、撮影された画像をデータとして記憶するもので、撮影後に、このメモリーカード９をメモリーカードスロット１０から抜き、後述のフォトプリンタやパーソナルコンピュータのカードスロットに差し込むことにより、写真をプリントしたり、撮影した画像を見ることができる。
【００１０】
尚、メモリーカードスロット１０の上部にケーブルコネクタ１１が設けられており、このケーブルコネクタ１１に後述のフォトプリンタやパーソナルコンピュータと接続するためのケーブル１２（図２参照）の付属コネクタを接続すると、写真をプリントしたり、撮影した画像を見ることができる。
【００１１】
図２は、フィルム式カメラ用デジタルユニット１の電気的な構成を示した電子回路ブロック図である。
図２に示した画像センサ８は、既存のフィルム式カメラ２のレンズ５を介した撮影画像を検知するものであり、前述したようにＣＣＤ画素やＣＭＯＳ画素で構成されている。画像センサ８で検知された撮影画像は、撮影記録部２１に撮影画像デジタルデータとして記録される。
尚、この撮影記録部２１は例えばビデオＲＡＭで構成されている。撮影記録部２１に接続されている記録データ出力部２２は、撮影記録部２１に記録されている撮影画像デジタルデータを外部のフォトプリンタやパーソナルコンピュータ２３に出力するための電子回路である。
【００１２】
制御部２４は、操作スイッチ部７に設けられている各スイッチの操作に基づいて、画像センサ８、撮影記録部２１、表示部６、及び記録データ出力部２２などを制御するものであり、マイクロコンピュータを中枢として構成されている。
例えば、撮影記録部２１に記録されている撮影画像デジタルデータを外部のフォトプリンタやパーソナルコンピュータ２３に出力する場合、その操作をするための操作スイッチを操作すると、制御部２４は撮影記録部２１及び記録データ出力部２２を制御し、撮影記録部２１に記録されている撮影画像デジタルデータを外部のフォトプリンタやパーソナルコンピュータ２３に出力する。
【００１３】
制御部２４は、既存のフィルム式カメラ２のシャッターが押され、レンズ５を介した撮影画像が画像センサ８により検知されると、その画像検知を自動的に認識し、撮影画像を自動的に撮像記録部２１に記録するための制御をする。また、表示部６に撮影済み回数と撮影可能回数とを表示させる制御をする。
【００１４】
前記円筒形ケース部４ａの内部には、上記撮影記録部２１や記録データ出力部２２が収納されているとともに、電源回路２５や電源となる電池２７が収納されている。電源回路２５は、前述の画像センサ８、撮像記録部２１、記録データ出力部２２、制御部２４、及び表示部６などに対して必要な電圧を出力するものである。尚、電源スイッチ２６は、操作スイッチ部７の一部に設けられている。
【００１５】
次に、フィルム式カメラ用デジタルユニット１の使用について説明する。
フィルム式カメラ用デジタルユニット１のケース４、即ち、フィルム式カメラ用デジタルユニット１全体を既存のフィルム式カメラ２のフィルム装填スペース３に装着し、電源スイッチ２６をオンした状態で、同カメラ２の後ろ蓋を閉じる。この状態で、撮影が可能となる。
次に、被写体に対して同カメラ２を向け、図示していないファインダーを覗いてピントを合わせたあと、シャッターを切ると、カメラ２のレンズ５を介した撮影画像が画像センサ８で検知される。撮影画像が画像センサ８で検知されると、制御部２４の制御に基づいて、その検知された撮影画像は撮影記録部２１に記録されるとともに、表示部６に撮影済み回数と撮影可能回数とが表示される。
【００１６】
このように撮影を繰り返したあと、撮影画像を写真にする場合、フィルム式カメラ２の後ろ蓋を開け、前述のメモリーカード９をメモリーカードスロット１０から抜き、フォトプリンタやパーソナルコンピュータ２３のカードスロットに差し込むことにより、若しくは、前述のケーブルコネクタ１１にフォトプリンタやパーソナルコンピュータ２３と接続するためのケーブル１２の付属コネクタを接続して該当する操作スイッチを操作すると、制御部２４の制御に基づいて写真をプリントしたり撮影した画像を見ることができる。
【００１７】
以上説明したフィルム式カメラ用デジタルユニット１の形状は、図１に示した形状に限らず、既存のフィルム式カメラに装着できる形状であれば良い。
また、図２に示した電子回路に限らず、撮影した画像をデジタルデータとして記録するとともに、記録された撮影画像データを任意にフォトプリンタやパーソナルコンピュータに伝送できるような構成であれば良い。
【図面の簡単な説明】
【００１８】
【図１】フィルム式カメラ用デジタルユニットの外観的な構成を示した斜視外観図である。
【図２】フィルム式カメラ用デジタルユニットの電気的な構成を示したブロック図である。
【符号の説明】
【００１９】
１    フィルム式カメラ用デジタルユニット
２    既存のフィルム式カメラ
３    既存のフィルム式カメラのフィルム装填スペース
４    ケース
６    表示部
７    操作スイッチ部
８    画像センサ
９    メモリーカード
１０    メモリーカードスロット
１１    ケーブルコネクタ
２１    撮像記録部
２２    記録データ出力部
２３    フォトプリンタ（パーソナルコンピュータ）
２４    制御部
２５    電源回路
２６    電源スイッチ
２７    電池
【図１】
2005159571.tif 000003
【図２】
2005159571.tif 000004